(57)【要約】【課題】平時には、、機械的負荷の増加を伴なわないで、防火引戸扉を開閉して、人がそこを自由に往来できるのに、火災発生時には、扉の遮煙周縁部を密閉してそこを火炎が通過するのを有効に防止する。【解決手段】防火引戸扉８の遮煙周縁部８ｃと建造物に固定された開口枠体３との間に空隙ｇが形成されるような断面形状の吸水膨張性遮煙部材１６を開口枠体３内に貼着する。火災発生時に、煙探知機等からの操作電流応答で、係止解除機構１８を作動させて、バネ１７ｈ付勢の給水ピストン１７ｄを給水シリンダー１７ｂ内で往動させる。給水シリンダー１７ｂ内の水Ｗを遮煙部材１６に供給して、これを開口枠体３内から空隙ｇに向けて吸水膨張させて、空隙ｇを密閉する。【選択図】図３
2005194852.tif 000002
【特許請求の範囲】
【請求項１】
自動又は手動で開閉運動する防火引戸扉と、上記防火引戸扉の遮煙周縁部と、建造物に固定され、上記防火引戸扉の開扉時に、該防火引戸扉の開口を画定し、該防火引戸扉の開閉運動時に、該防火引戸扉の遮蔽周縁部に対して相対的に静止している開口枠体と、上記防火扉の遮煙周縁部と上記開口枠体との間の空隙に介装された遮煙部材とを備えている防火引戸扉用遮煙装置において、上記遮煙部材に対して給水する給水手段と、上記給水手段の給水動作を手動又は自動で起動させる給水起動手段とをさらに備えており、上記遮煙部材が吸水膨張性の素材から成ることを特徴とする防火引戸扉用遮煙装置。
【発明の詳細な説明】
【技術分野】
【０００１】  本発明は、平常時に開閉運動する防火引戸扉から、火災発生時に火煙が、防火引戸扉で仕切られた内部空間内に流入するのを有効に遮断する防火引戸扉用遮煙装置に関するものであり、とくに、平常時の手動による防火引戸扉の開閉運動への機械的負荷の負担増を実質的に皆無にしているにも拘わらず、火災発生時には、状況対応で、即応的に遮煙効果を発揮するようにした改良技術に関する。
【背景技術】
【０００２】  防火引戸扉用遮煙装置自体は、特定防火設備として多用されているところであるが、例えば、通常的な引き戸型の防火扉の場合にあっては、防火引戸扉の遮煙周縁部と、上記防火引戸扉の開扉時に、該引戸扉の開口を画定し、該引戸扉の開閉運動時に、該引戸扉の遮蔽周縁部に対して相対的に静止するように、建造物に固定されている開口枠体との間には、数ミリの空隙が、製造上、ないし、該引戸扉の開閉運動上好都合で形成されているが、これをそのままにすれば、火災発生時に、この空隙経由で、該引戸扉で仕切られた内部空間内に火煙が流入し、遮煙効果の著しい減退を招く。そこで、従来装置では、建造物に固定された開口枠体の枠沿いに、紐状のゴム製ガスケット材（所謂、タイトゴム）を貼着し、防火引戸扉の閉扉状態下で、上記遮煙周縁部と上記開口枠体との間にこのガスケット材を挟み込んで、圧縮変形させることで、その反発応力により、上記空隙の気密性を確保している。
【発明の開示】
【発明が解決しようとする課題】
【０００３】かかる従来装置では、防火引戸扉の閉扉状態下の気密が確保できる半面、平常時に、人・物の往来などの目的で、防火引戸扉を開閉運動させるような使途環境下、例えば、エレベータケージの開閉扉自体を防火引戸扉に仕立てる場合にあっては、遮煙周縁部での摩擦により、平常時に防火引戸扉の開閉運動に要する機械的負荷の負担増が著しいものとなるので、装置の運転効率（エネルギー使用効率）や装置の耐久性の問題点があり、装置の普及が妨げられていた。こうした従来装置の問題点を解決するのが、本発明の課題である。
【課題を解決するための手段】
【０００４】本発明は、上記従来装置による装置の運転効率や耐久性の問題点に鑑み、開口枠体沿いに貼着されたゴム製ガスケット材に代えて、給水により膨張変形する吸水膨張性の素材から成る遮煙部材を採用する構成としたことにより、上記の問題点を解決し、火災発生時には、給水による遮煙部材の吸水膨張により実現される気密作用で効果的な遮煙作用を確保できるのに、平常時の防火引戸扉の開閉運動が、膨張変形以前の遮煙部材によっては、妨げられることがなく、装置の運動効率や耐久性の点で優れた防火引戸扉用遮煙装置を提供するものである。
【発明を実施するための最良の形態】
【０００５】本発明の実施の形態を添付図面参照のもとに、以下に説明する。
図１は、本発明の実施の形態である防火引戸扉用遮煙装置の構成を示す平面断面図である。図中、隔壁１には、人が通過する開口２が設けられており、該隔壁の開口２に臨む開口端面１ａには、開口２の周囲に固定される開口枠体３を一体的に隔壁１に対して固定するための固定金具５が該開口端面１ａを覆うように冠着されている。開口２の開口端面１ａに対向する反対側の開口端面１ｂは、隅壁６で画成されており、開口端面１ｂには、固定金具５と同様にして、開口枠体３を一体的に隅壁６に対して固定するための固定金具７が該開口端面１ｂを覆うように冠着されている。開口枠体３の開口２の外側には、該開口２を遮るような姿勢で、扉体８が、図中、左右往復動自在に配置されている。【０００６】図１のＡ−Ａ矢視断面図である図２に示されるように、扉体８の上方に配置された上部ケーシング９内で、扉体８の往復動方向（図中で紙面垂直方向）沿いにガイドレール１０が懸架されており、扉体８の頂部８ａに取り付けられた吊金具８ｂに対して、回転自在に軸支されたローラ１１が、該ガイドレール１０上に転動自在に載置されることで、扉体８が、ガイドレール１０に対して、扉開閉方向に往復動自在に吊架されている。上部ケーシング９の底部９ｂの扉体８内側には、開口枠体３が固定されている。上部ケーシング９からは、さらに、固定金具５、７と協働して、開口枠体３の上部を扉体８の内側で上部隔壁１２に対して固定する上部固定金具１３が、上部隔壁１２が臨む上部開口端面１ｃを覆うように冠着されている。一方、扉体８の底部床面１４の敷居部１４ａには、扉体８の内側で、開口枠体３の底辺を係止する開口枠体係止溝１４ｂが設けられている。そして、図２のＢ−Ｂ矢視断面図が図１である。【０００７】図３は、図１のＣ方向矢視図で、扉体８の外側から見た該扉体の正面外観を示し、上部ケーシング９の部分を部分断面の説明図で置き換えたものである。同図中の左側に、閉扉位置の扉体８が現れており、右側には、隔壁１の外側に設けられた戸袋空間１５が現れている。扉体８の背後には、開口２が存在し、同様に扉体背後の開口２の周囲を囲むように開口枠体３が配置されている。なお、通常の引き戸型の扉体８で、図面のものとは相違して、引き残し部分がある場合には、開扉時の実際の有効開口の幅は、開口枠体３の開口よりも、引き残しの分だけ狭くなる。【０００８】図１、図２、図３において、開口枠体３のうち、縦方向開口枠体片３ａ内部及び横方向開口枠体片３ｂ内部には、格別に該枠体片３ａ，３ｂ内部に収容可能な断面形状の吸水膨張性の素材から成る縦方向遮煙部材１６ａ、横方向遮煙部材１６ｂが格別に貼着されて、収容されている。そこに収容される遮煙部材１６は、火災発生時以外の平常状態下では、収縮固定されていて、開口枠体３と扉体８の遮煙周縁部８ｃの内側表面との間に僅かな空隙ｇを確保できるように、その断面形状が調整されており、さらに、こうした調整は、開口枠体３の扉体８に対する位置決めの調整によっても補完される。その結果、平常状態下での手動又は自動による扉体８の開閉運動に対して、開口枠体３内の遮煙部材１６の存在が、該開閉運動の機械的負荷の負担増に繋がることはない。【０００９】一方、上部ケーシング９内部の上部側壁９ａには、シリンダー取付け金具１７ａを介して、給水手段としての給水装置１７が取り付けられており、該給水装置から図中で右方に伸びるピストンロッド１７ｅの先端に可動盤１８ａが固定されている。さらに、図３に示されているように、この可動盤１８ａの図中で右方の上部ケーシング９内部の上部側壁９ａに取付け金具１９ａを介して取り付けられた自動開放装置１９から伸びる解除ワイヤー１８ｅが該係止盤１８ａを通過して、後述する係止解除ピン１８ｃに接続されており、これら給水装置１７、可動盤１８ａ、自動解放装置１９は直線的に並んで、上部ケーシング９内に収容されている。図４の断面図に詳細に示されるように、給水装置１７は、給水シリンダー１７ｂを備えており、該給水シリンダー１７ｂには、給水ピストン１７ｄが、往復動自在に挿入されており、該給水シリンダーの中心部から図中右方に伸びるピストンロッド１７ｅが該給水シリンダー１７ｂの図中右端の閉塞隔壁１７ｆを貫通して、図中右方に伸び、該ピストンロッドの先端には、該ピストンロッド周りの空間内で、往復動可能に配置された可動盤１８ａが固設されている。該ピストンロッド周りの空間には、給水シリンダー１７ｂの閉塞隔壁１７ｆに一端が固定され、他端が可動盤１８ａに固定された収縮バネ１７ｈが、ピストンロッド１７ｅ沿いに該ピストンロッドと並行に弾発配置されて、平常時の状態で、可動盤１８ａを閉塞隔壁１７ｆに向けて引き寄せる方向の収縮力を働かせている。【００１０】ピストンロッド１７ｅは、図６の部分拡大断面図に詳しく示されているように、その軸心部が中空構成になっていて、中空軸芯部１８ｂには、係止解除ピン１８ｃが該軸芯部内で軸方向移動可能に挿入されており、該係止解除ピンの図中右側の後端部１８ｄには、解除ワイヤー１８ｅが接続されており、該解除ワイヤーは、公知、公用の自動解除装置１９（例えば、「自動閉塞装置」ＥＲＤ−４００の製品名で三和シャッター工業（株）により市販されているもの）の解除操作桿１９ｂに接続されている。上記自動解除装置１９は、火災時に、これを検知した煙感知器ないし熱感知器（図示せず）からの信号電流対応の操作電流の供給に応動して、解除操作桿１９ｂを図中右方に引き込むように作動するものである。【００１１】ピストンロッド１７ｅの中空軸芯部１８ｂには、該ピストンロッドの外殻部１７ｇに対して、係止駒支持部材１８ｆが固設されており、該係止駒支持部材には、係止駒１８ｇの回動軸１８ｈが軸支され、該係止駒の係止膨出部１８ｉが該ピストンロッド１７ｅの外殻部１７ｇに長手方向に穿設された外殻スリット１８ｊから出没自在に突出しており、該外殻から突出した状態の係止膨張部１８ｉの係止面部１８ｋが、図６に示されるように、給水シリンダ１７ｂの閉塞隔壁１７ｆに設けたれた係止部１８ｌに対して押圧係止している。係止駒１８ｇの回動軸１８ｈの係止膨張部１８ｉ寄りの位置には、バネ固定突起１８ｍが植設されており、該バネ固定突起と回動軸１８ｈとの間には、回動付勢バネ１８ｎが弾発配置され、係止駒１８ｇ全体を図中反時計方向に回動させるように付勢している。係止駒１８ｇの摺動面１８ｐとピストンロッド１７ｅの外殻部１７ｇに対向する反対側外殻部１７ｈとの間には、係止解除ピン１８ｃが往復摺動可能に押圧担持されており、こうした平常時の状態では、係止駒１８ｇの係止膨出部１８ｉは、図中、上方に突出し、係止面１８ｋが閉塞隔壁１７ｆの係止部１８ｌに対して押圧係止しているので、図４に戻って、可動盤１８ａは、収縮バネ１７ｈの付勢に抗して、図示の位置に維持される。ここでの係止駒１８ｇ、係止解除ピン１８ｃ、解除ワイヤー１８ｅは、関連部材と共に係止解除機構１８を構成し、該係止解除機構と自動解除装置１９との協働により、本発明の給水起動手段の一実施形態を実現するものである。【００１２】さらに、図４に示されるように、給水シリンダー１７ｂでは、該給水シリンダーの先端隔壁１７ｉの中心部に設けられた給水孔１７ｊが、連結管１７ｋを介して、平常時の待機状態下での漏水防止の目的、及び、火災発生時の給水状態下での水圧安定化の目的で設けられた注水調整器１７ｌに連結されており、平常時の該注水調整器は、水Ｗで満たされている。上記注水調整器１７ｌの図中左端の先端隔壁１７ｍからは、第１の給水接栓１７ｎ経由でビニル製の第１の給水管２０ａが延びて、該給水管２０ａの他端は、図８に示されるように、開口枠体３の横方向枠体片３ｂに収容された横方向遮煙部材１６ｂの図中の左側半分から、同左側半分の開口枠体３の縦方向枠体片３ａに収容された縦方向遮煙部材１６ａに向けて、第１の導水管２１ａが記載の順で格別の該遮煙部材１６ｂ、１６ａの中心部を長手方向に貫通するように延在しており、該第１の導水管２１ａの表面には、内部導水路に連通する多数の第１の散水小孔群２３ａが穿設されている。同様に、上記注水調節器１７ｌからは、第２の給水接栓１７Ｐ（図４）経由でビニル製の第２の給水管２０ｂが延びて、該給水管２０ｂの他端は、開口枠体３の横方向枠体３ｂに収容された横方向遮煙部材１６ｂの図中右側半分から、同右半分の開口枠体３の縦方向枠体片３ａに収容された縦方向遮煙部材１６ａを経て、図中下側の横方向枠体片３ｂに向けて、第２の導水管２１ｂが記載の順序で該遮煙部材１６ｂ、１６ａ、１６ｂの中心部を長手方向に貫通するように延在しており、該第２の導水管２１ｂの表面にも、同様の多数の第２の散水小孔群２３ｂが穿設されている。こうした導水管２１ａ、２１ｂの遮煙部材１６ａ、１６ｂ中への埋没構成を例示するのが図９であり、図８中の符号Ａで示された部分を抽出、拡大し、部分的に分解して斜視図で示したものである。図中において、第２の導水管２１ｂの表面上で該導水管の長手方向に延びる長穴形状の多数の第２の散水小孔群２３ｂが、該導水管を取り囲んで、これに接触する吸水性の遮煙部材１６ｂに臨んでおり、該導水管の終端部２３ｃには、エンドストッパー２１ｃが挿入されている。【００１３】次いで、上記実施の形態の動作に関し、図４−図７を参照しながら、以下に説明する。平常時における給水装置１７の様子が図４に示されており、図６の動作状態に対応している。火災発生時には、煙感知器ないし熱感知器（図示せず）からの信号電流対応の操作電流の供給に応動して、自動解除装置１９の解除操作桿１９ｂが引き込まれると、該解除操作桿に接続されている解除ワイヤー１８ｅが、図７に示されるように、解除ピン１８ｃを図中で右方に引き抜く。これにより、係止駒１８ｇ全体が、回動付勢バネ１８ｎの回動付勢で、図中、反時計方向に回動し、係止駒１８ｇの係止膨出部１８ｉの、閉鎖隔壁１７ｆ上の係止部１８ｌに対する押圧係止が解除されるので、可動盤１８ａは、収縮バネ１７ｈの付勢により、図５に示されるように、吸水シリンダー１７ｂの閉塞隔壁１７ｆに向けて引き寄せられる。【００１４】これにより、給水ピストン１７ｄが先端隔壁１７ｉに向けて往動しして、給水ピストン１７ｄと先端隔壁１７ｉで画成される給水シリンダー１７ｂ空間が縮小することで、図４の動作状態から図５の動作状態に移行する。すると、給水ピストン１７ｄと先端隔壁１７ｉで画成される給水シリンダー１７ｂ空間内の水Ｗが、第１、第２の給水接栓１７ｎ，１７ｐ経由で第１、第２の給水管２０ａ，２０ｂに向けて一斉に押し出され、第１の導水管２１ａと第２の導水管２１ｂに同時的に供給される。【００１５】これにより、第１の導水管２１ａの表面上の第１の散水小孔群２３ａから、これらに接触する遮煙部材１６ａ、１６ｂに対して一斉給水が行われ、一方、第２の導水管２１ｂの表面上の第２の散水小孔群２３ｂから、これらに接触する遮煙部材１６ａ、１６ｂに対しても一斉給水が行われて吸水膨張性の該遮煙部材１６ａ、１６ｂ全体の体積膨張が一斉に進行する。その結果、図１０に示すように、開口枠体３と扉体８の遮煙周縁部８ｃの内側表面との間の僅かな空隙ｇが吸水膨張後の遮煙部材１６ａ、１６ｂにより密閉されるので、該空隙経由で、防火扉内部への火煙の侵入が有効に遮断される。ここでの吸水膨張性の吸水遮煙部材としては、「ランシールＦ」の商品名で東洋紡績（株）より上市されている超吸水性繊維が好適に採用される。この製品は、アクリル繊維の内層に対して、超給水加工を施した外層との２重層構造を有し、吸水状態では、３−８倍の体積膨張を呈するものである。【００１６】なお、火災発生時における自動解除装置１９の解除操作桿１９ｂの係止解除機構１８方向からの引き込み駆動に連動起動させることで、公知公用の自動閉扉装置をこの発明の遮煙装置と同時並行的に作動させることは随意である。また、図４、図５に示される実施態様の構成において、給水シリンダー１７ｄの表面適所に、密閉、開放可能な注水孔１７ｘを穿設し、これを常時、注水栓１７ｙで密閉しておいて、火災発生時以降の再使用に備える際に、該注水栓を外して該注水孔から、給水シリンダー１７ｄ内に注水可能とするのも随意である。
さらに、本発明の給水手段１７の構成は、実施の形態として例示した構成に限定されるものではなく、火災発生時に、給水管２０ａ、２０ｂに対して、一斉に給水可能な構成であれば足りるので、火災発生時に、煙感知器ないし熱感知器からの信号電流対応で活性化されるスプリンクラー給水系を給水管２０ａ、２０ｂに連結する構成も、本発明の給水手段に包含される。
【発明の効果】
【００１７】本発明によれば、防火引戸扉の遮煙周縁部と建造物に固定された開口枠体との間に介装された吸水膨張性の素材から成る遮煙部材に対して、火災発生時に、手動又は自動の給水起動手段で起動する給水手段から給水して該遮煙部材を吸水膨張させることで、該開口枠体と防火引戸扉の遮煙周縁部との間の空隙を密閉する構成としたことにより、平常時には、吸水膨張以前の遮煙部材で、該開口枠体と該遮煙周縁部との間の空隙を確保しておき、火災発生時にだけ、吸水膨張した遮煙部材で該空隙を密閉することができるので、平常時の防火引戸扉の開閉運動に何の支障も与えずに、人・物が該防火引戸扉を通行するのを許容するのに、火災発生時には、火煙が防火引戸扉を通過するのを有効に遮断できるという優れた効果が奏される。
【図面の簡単な説明】図１−図１０は、本発明の実施の形態を示すものである。【図１】引戸用遮煙装置の構成を示す平面断面図である。
【図２】図１のＡ−Ａ矢視断面図である。
【図３】図１のＣ方向矢視図である。
【図４】平常時の給水装置１７の断面図である。
【図５】火災発生時の給水装置１７の断面図である。
【図６】平常時の係止解除機構１８（係止駒１８ｇ，係止解除ピン１８ｃ、解除ワイヤー１８ｅを含む）の断面図である。
【図７】火災発生時の係止解除機構１８（係止駒１８ｇ，係止解除ピン１８ｃ、解除ワイヤー１８ｅを含む）の断面図である。
【図８】吸水膨張性の遮煙部材１６が貼着された開口枠体３の外観を抽出して示す説明図である。
【図９】図８中の符号Ａで示される部分を抽出、拡大して示す部分分解斜視図である。
【図１０】火災発生時に、開口枠体３の横方向枠体３ｂ内で吸水膨張済みの横方向遮煙部材１６ｂが扉体８の遮煙周縁部８ｃを密閉する様子を示す斜視説明図である。
【符号の説明】
１  隔壁
１ａ、１ｂ  開口端面
２  開口
３  開口枠体
５、７、１３  固定金具
６  隅壁
８  扉体
８ｃ  扉体８の遮煙周縁部
９  上部ケーシング
１０  ガイドレール
１１  ローラー
１２  上部隔壁
１４  底部床面
１６  遮煙部材
１７  給水装置
１７ｂ  給水シリンダー
１７ｄ  給水ピストン
１７ｅ  ピストンロッド
１７ｆ  閉塞隔壁
１７ｈ  収縮バネ
１７ｋ  連結管
１７ｌ  注水調整器
１８  係止解除機構
１８ａ  可動盤
１８ｃ  係止解除ピン
１８ｅ  解除ワイヤー
１８ｇ  係止駒
１９  自動解除装置
１９ｂ  解除操作桿
２０ａ  第１の給水管
２０ｂ  第２の給水管
２１ａ  第１の導水管
２１ｂ  第２の導水管
２３ａ  第１の散水孔群
１３ｂ  第２の散水孔群
【図１】
2005194852.tif 000003
【図２】
2005194852.tif 000004
【図３】
2005194852.tif 000005
【図４】
2005194852.tif 000006
【図５】
2005194852.tif 000007
【図６】
2005194852.tif 000008
【図７】
2005194852.tif 000009
【図８】
2005194852.tif 000010
【図９】
2005194852.tif 000011
【図１０】
2005194852.tif 000012